(57)【要約】【課題】蓄電池に電解液を注液後、蓄電池から電解液注液装置を離脱する際に、電解液注液装置の注液ノズル内壁に付着残留していた電解液が注液ノズルの開口孔から漏れ出し、電解液注液が終了した蓄電池の上面に落下し、蓄電池を汚染することを防止した電解液注液装置と注液方法を提供する。【解決手段】蓄電池の注液口に装着し蓄電池に電解液を注液する注液ノズルを貫通する中空部と該中空部内を真空引きする吸引部とを有し、前記注液ノズルの下部側面に穿設の開口孔を覆う摺動子が前記中空部に摺動自在にかつ液密に設けられていることを特徴とする蓄電池用注液装置とこの装置を用いて行う注液方法である。【選択図】  図２
2008204649.tif 000002
【特許請求の範囲】
【請求項１】
蓄電池の注液口に装着し蓄電池に電解液を注液する注液ノズルを貫通する中空部を有する注液ヘッドと該中空部内を真空引きする吸引部とを有し、前記注液ノズルの下部側面には開口孔が穿設され、前記注液ヘッドには前記注液ノズルの開口孔を離間して囲繞する中空の摺動子が、該注液ヘッドの中空部内を前進後退するように摺動自在にかつ液密に設けられていることを特徴とする蓄電池用電解液注液装置。
【請求項２】
蓄電池の注液口に注液ヘッドを装着して注液ノズルを蓄電池内に挿入し、吸引して蓄電池内を減圧し、注液ノズルの開口孔より蓄電池内に電解液を注液し、注液終了後は注液ノズルの開口孔を吸引しながら注液ヘッドを蓄電池から離脱することを特徴とする蓄電池への電解液注液方法。
【発明の詳細な説明】
【技術分野】
【０００１】
本発明は、蓄電池の内部に電解液を注液する電解液注液装置、並びに該電解液注液装置を用いた電解液注液方法に関するもので、特に、注液終了後の液ダレを防止した電解液注液装置、並びに該電解液注液装置を用いた電解液注液方法に関するものである。
【背景技術】
【０００２】
図３に従来の蓄電池用注液装置の要部を示す。図３に示すように電解液注液装置３１は、蓄電池２１に電解液を注液する注液ノズル３５と、これが取り付けられて貫通する中空部３３を有する注液ヘッド３２で構成されている。前記中空部３３には該中空部３３内を真空引きする吸引部３４を有している。また、前記注液ノズル３５の下端には開口した開口孔３６が設けられている。
【０００３】
この電解液注液装置３１は注液ヘッド３２を管体により電解液タンク（図示せず）に接続し、吸引部３４を管体により真空ポンプ（図示せず）に接続され、注液ヘッド３２の先端３７を蓄電池２１の注液口２６に装着し、吸引部３４に接続された真空ポンプにて中空部３３を真空引きすることによって、貫通した注液ノズル３５の外側面と注液ヘッド３２の隙間を介して蓄電池２１内を減圧し、蓄電池２１内を減圧とした状態で電解液タンクに接続された注液ノズル３５から電解液を蓄電池２１内に注液し、電解液を注液後は注液ヘッド３２を引き上げ蓄電池２１から離脱することで注液作業を終えるものである。図中、１１は注液口２６の上縁と注液ヘッド３２間に介在するパッキンである。
【０００４】
しかし上記電解液注液装置３１においては、蓄電池２１に電解液を注液後、蓄電池２１から注液ヘッド３２を離脱する際に、注液ノズル３５内壁に付着残留していた電解液が注液ノズル３５の開口孔３６から垂れ出し、電解液注入が終了した蓄電池２１の上面や床面に落下することが頻繁に生じていた。このため、蓄電池２１の上面や床面を清掃しなければならず、作業工数を増やす要因となっていた。
【０００５】
このような注液ノズルからの液ダレを防ぐために、蓄電池に電解液を注液後、注液ノズル先端の開口孔を閉塞する装置が提案されている（特許文献１参照）。
【特許文献１】実開昭６１−１３６４６８号公報
【発明の開示】
【発明が解決しようとする課題】
【０００６】
しかし、このような提案は注液ノズル先端を閉塞するための特別な装置（手段）が必要となって装置が複雑化し、また、閉塞操作が必要となるため操作に手数を要する等の課題がある。
【０００７】
本発明は、上記課題を解決し、蓄電池への電解液注入後、電解液注液装置を蓄電池から離脱する際の液ダレを防止した蓄電池用電解液注液装置と、該電解液注液装置を用いた蓄電池への電解液注入方法を提供することを目的とする。
【課題を解決するための手段】
【０００８】
本発明の蓄電池用電解液注液装置は、注液ノズル開口孔を注液ノズルの下端は閉口し、下部側面に設けた。更に、該注液ノズルの周囲には摺動自在な摺動子を注液ノズルとは離間して設けたことを特徴とするものである。
【０００９】
更に、本発明の蓄電池へ電解液注液方法は、蓄電池の注液口に注液ヘッドを装着して注液ノズルを蓄電池内に挿入し、吸引して蓄電池内を減圧し、注液ノズルの開口孔より蓄電池内に電解液を注液し、注液終了後は注液ノズルの開口孔を吸引しながら注液ヘッドを蓄電池から離すことを特徴とするものである。
【００１０】
本発明によれば、電解液注入後は注液ノズルを覆う摺動子で注液ノズル下部側面の開口孔が覆われるため、真空引きによる減圧で注液ノズル内壁から垂れてくる電解液は注液ノズル先端の開口孔から漏れ出しても下に落下することなく中空部に吸い上げられ、注液ノズル内に残存する電解液が蓄電池上面や床面に落下する恐れがない。
【発明の効果】
【００１１】
本発明は、蓄電池への電解液注入後、電解液注液装置を畜電池から離脱する際の液ダレがない、蓄電池用電解液注液装置と、該電解液注液装置を用いた蓄電池への電解液注入方法を提供することができる。
【発明を実施するための最良の形態】
【００１２】
以下、本発明を図示した実施形態に基づき詳細に説明する。
図１は本発明の一実施形態を示す電解液注液装置１の要部断面図である。
【００１３】
図１において、蓄電池内に電解液を注液する装置１は、蓄電池内に注液する注液ノズル５と、これが取り付けられて貫通する中空部３を有する注液ヘッド２と、該中空部３内を真空引きする吸引部４が形成され、前記注液ノズル５の下部側面には開口孔６が穿設され、更に注液ヘッド２には、注液ノズル５の開口孔６を覆う様に、離間して囲繞し、中空部３内を前進後退するように摺動自在にかつ液密に設けられた中空の摺動子７とで構成されている。
【００１４】
以下、各構成部分につき説明する。
吸引部４には図示しない真空ポンプ等の真空引き装置が連結され、中空部３内を減圧する。
【００１５】
中空部３を貫通する注液ノズル５の下端は閉塞され、下部側面には複数の開口孔６を穿ち設けられている。この様にすることで、注液ノズル５から注入される電解液が該開口孔６から蓄電池内に放出される電解液が蓄電池２１内に収納されて該注液ノズルの直下に位置する極板やセパレータに直接当り、電解液の放出圧力で極板やセパレータを損傷することがない。
【００１６】
注液ヘッド２には、この開口孔６を含み、注液ノズル５の下部外側を覆うように囲繞して摺動子７が、ノズル５からは離間して設けられている。該摺動子７は図示するように、前記注液ノズル５の下部に設けた開口孔６を覆うように設けられ、中空部３内を前進後退、即ち、出たり入ったりが摺動自在なるよう、中空部3内に設けられたコイルバネ９に固定され、かつ液密に設けられている。摺動子７は中空であり、中空部３に摺動自在に設けられ、通常時はコイルバネ９により下方に押圧されており、注液ノズル５下部の開口孔６を覆う位置にセットされている。
【００１７】
注液ノズル５と摺動子７との間には間隙が設けられ、該間隙を通して前記中空部３と導通し、中空部３が減圧されることで注液ノズル５の開口孔６部分が減圧されるように構成されている。図中、１１はパッキンで摺動子７に当接し、注液ヘッド２の下面に設けられている。
【００１８】
次に、本実施形態の電解液注液装置１を用いて蓄電池に電解液を注液する工程につき説明する。
【００１９】
図２は蓄電池２１に注液ヘッド２を装着した状態を示すもので、蓄電池２１は電槽とこれを塞ぐ電槽蓋からなり、電槽内には、正負極板がセパレータを介し交互に積層された極板群が収納されている（詳細図示せず）。この蓄電池２１の電槽蓋に貫通して形成された電解液の注液口２６にその上方から電解液注液装置１の注液ヘッド２を下降させて装着するものであるが、その際、最初に摺動子７を注液口２６内に挿入し、注液口２６内の突状部２７上に当接させる。続けて注液ヘッド２を下降させることで摺動子７はコイルバネ９に抗して押し上げられ中空部３内に深く後退し、やがて注液ヘッド２の下面に設けられ摺動子７に当接して設けたパッキン１１が蓄電池２１の注液口２６の外周壁２８上に押し付けられる。一方、中空部３内を貫通する注液ノズル５は、注液ヘッド２の下降と共に注液口２６から蓄電池２１内に挿入されて開口孔６が露出されると共に、注液ヘッド２の中空部３と蓄電池２１内部とが連通する。
【００２０】
中空部３と蓄電池２１内部とが連通し、注液ノズル５の注液口が露出された状態で吸引部４から真空引きすることで中空部３から摺動子７と注液ノズル５との間隙を介して蓄電池２１内が減圧される。蓄電池２１内が減圧状態になったところで図示しない電解液タンクから電解液を注液ノズル５に導き、注液ノズル５から蓄電池２１内に電解液を注入する。
【００２１】
電解液の注入は蓄電池２１内が減圧されていることで容易に注入でき、かつ、開口孔６の向きを蓄電池２１内に噴射状態で注入される電解液が電極板や隔壁板に直接当らないように注液ノズル５の側面に横向きに設けられているので、極板やセパレータを損傷することなく容易に注液することができる。
【００２２】
蓄電池２１内に所定量の電解液を注液したならば電解液タンクに設けた供給弁（図示せず）を閉じて電解液の供給を止める。次いで、吸引部４からの吸引を継続した状態で注液ヘッド２を上昇させて蓄電池２１から離脱すると、摺動子７はコイルバネ９の押圧力で下方に押し下げられて前進し、注液ノズル５下部側面の開口孔６を覆うまでに前進する（図２に示す状態にまで下降する）。
【００２３】
摺動子７が前進し開口孔６を覆うと、開口孔６と減圧中の中空部３とが連結し、注液ノズル５内壁に付着した電解液が注液ノズル５の開口孔６から外へ垂れ出ようとしても中空部３内に吸い出され、蓄電池２１の上面や床面に電解液が垂れることがない。
【００２４】
このようにして電解液注液装置１を蓄電池２１から離脱し取り外したならば吸引部４からの吸引を止め、或いは吸引したままで注液作業は終了し、次の注液作業まで待機する。
【００２５】
なお、吸い出された電解液は真空ポンプ等の真空引き装置の手前にある回収容器に回収される。
【００２６】
本発明は電解液注液装置１を蓄電池２１に装着することで蓄電池２１内部を減圧すると共に開口孔６を蓄電池２１内に挿入開放し、蓄電池２１内が減圧となった時点で電解液を蓄電池２１内部に充填し、蓄電池２１内に所定量の電解液が注入されたならば減圧状態を保ったままで蓄電池２１から電解液注液装置１を取り外す。電解液注液装置１を取り外す工程で注液ノズル５の開口孔６が摺動子７に覆われ、注液ノズル５内に残留する電解液は減圧中の中空部３に吸引される。このように注液後、電解液が蓄電池２１上面に垂れ、蓄電池２１の上面を汚染するようなことはなく、また、床面に垂れることがないので床を清掃する作業が生じない。
【００２７】
また、本電解液注液装置１の操作は従来と同様に簡単であり、特別な配慮をすることなく、採用することができる。
【００２８】
なお、本実施形態では上述したように、摺動子７を中空部３に設けたコイルバネ９で下方に押圧して摺動子７で開口孔６を覆っているが、摺動子７の押圧手段はこれに限定されず、シリンダーやモーターを用いて摺動子７を注液ヘッドの動作に連動して動かしても良い。また、上記実施形態では、注液口２６として、注液口２６内に突状部２７を有し、注液終了後はこの突状部２７にキャップ状のゴム弁が冠着され、安全弁として利用されるものの例を示したが、注液口２６内周面にネジ溝を刻印し、注液終了後は液口栓を螺着嵌合するものでも用いることが出来る。この場合は、摺動子７とパッキン１１はいずれも注液口周囲の外周壁上に当接させることで、同様に注液作業を行うことが出来る。
【００２９】
上述したように本発明は、上記電解液注液装置１を採用することにより、蓄電池２１に電解液を注液後、蓄電池２１から電解液注液装置１を離脱する際に、電解液注液装置１の注液ノズル５内壁に付着残留していた電解液が注液ノズル５の開口孔６から垂れ出し、電解液注入が終了した蓄電池２１の上面に垂れ落ちて、蓄電池２１を汚染することがなく、また作業する床面を汚すこともないので、蓄電池２１製造工程が簡素化できる優れた効果を有するものである。
【図面の簡単な説明】
【００３０】
【図１】本発明の一実施形態である電解液注液装置を示す断面説明図である。
【図２】本発明電解液注液装置を蓄電池に装着した状態を示す断面説明図である。
【図３】従来の電解液注液装置を示す断面説明図である。
【符号の説明】
【００３１】
１           電解液注液装置
２           注液ヘッド
３           中空部
４           吸引部
５           注液ノズル
６           開口孔
７           摺動子
９           コイルバネ
１１       パッキン
２１       蓄電池
２６    注液口
【図１】
2008204649.tif 000003
【図２】
2008204649.tif 000004
【図３】
2008204649.tif 000005